(57)【要約】      （修正有）【課題】消去時における消去面積を容易に変化させることができ、使い勝手のよい消去具を提供する。【解決手段】把持部としての軸筒１０と、前記軸筒１０の一端に装着された消去部１４を有する消去具において、消去部１４は、消去性インクを消去可能な消去体１６を平面部と角部１６ａと曲面部１６ｃで構成された消去具である。【選択図】図２
2018052091.tif 000002
【特許請求の範囲】
【請求項１】
把持部としての軸筒と、前記軸筒の一端に装着された消去部とを有する消去具において、
前記消去部は、消去性インクを消去可能な消去体と、当該消去体を保持する保持体とを有しており、前記消去体の頂部は複数の平面部が形成されたことを特徴とする消去具。
【請求項２】
複数の平面部は、平面部と角部と曲面部が形成されていることを特徴とする請求項１記載の消去具。
【請求項３】
消去部は着脱可能であることを特徴とする請求項１又は２に記載の消去具。 
【発明の詳細な説明】
【技術分野】
【０００１】
本発明は、消去部を通じて消去具による筆跡等を消去可能にする消去具に関する。
【背景技術】
【０００２】
従来より、特許文献１に示したような視認性を有する保持体の先端に消去部を設けて、消去時に保持体を通して消去方向を視認することができ、ユーザーにとって使いやすい消去具が開示されている。
【先行技術文献】
【特許文献】
【０００３】
【特許文献１】特開２０１３−９５０１３号公報
【発明の概要】
【発明が解決しようとする課題】
【０００４】
しかし、特許文献１に開示された発明は、消去部である消去芯は紙面と接触する面が平坦であり、消去時での消去範囲を使い分ける際には、持ち替えたりすることが必要で有り、使い勝手を損なう虞がある。
【０００５】
そこで、本発明は、視認部を介して消去部により筆跡等を消去する消去具においても、消去描線を消し分けることが容易で、使い勝手の良い消去具の提供を課題とする。
【課題を解決するための手段】
【０００６】
本発明は、把持部としての軸筒と、前記軸筒の一端に装着された消去部とを有する消去具において、消去部は、消去性インクによって消去された筆跡を消去可能な消去体と、消去体を保持する保持体とを有しており、保持体は視認性を有する材料で形成され、前記消去体の頂部は複数の平面部を有することを特徴とする消去具である。
また、複数の平面部は、平面部と角部と曲面部が形成されていることが好ましい。なお、本発明における「消去」とは、摩擦熱によって変色、消色する熱変色性インクを用いた場合や、消去した描線、文字等を消しゴム等の消去部で吸着又は削ぎ落とすことを示す。
【０００７】
本発明において、前記保持体は消去部の外周に配置され、前記保持体の外周面に凹凸上のリブ体が形成され、リブ体の間に消去体を設け、前記保持体は、軸線方向に垂直な断面での肉厚が、最厚部が１ｍｍ以上、或いは前記消去体の外径と前記保持体の外径の比が１対３以上となることが好ましい。
【０００８】
消去体は、紙面を傷めず且つ印刷文字を掠れさせないように、適度に摩耗するように構成される。具体的には、ＪＩＳ  Ｋ７２０４に規定された摩耗試験（ＡＳＴＭ  Ｄ１０４４）荷重９．８Ｎ、１０００ｒｐｍ環境下において、テーバー摩耗試験機の摩耗輪ＣＳ−１７でのテーバー摩耗量が１０ｍｇ以上であることが好ましい。テーバー摩耗量が１０ｍｇ未満の消去体だと、擦過時に紙面を傷めてしまい且つ印刷文字を掠れさせてしまう。
【０００９】
消去体を形成するための材料として、シリコーンゴム、ニトリルゴム、エチレンプロピレンゴム、エチレンプロピレンジエンゴム等の熱硬化性ゴムやスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物を、テーバー摩耗量が１０ｍｇ以上となるように構成し、消去体を形成してもよい。さらに、ポリプロピレン樹脂及びスチレン系熱可塑性エラストマーの混合物、またはポリプロピレン樹脂及びポリプロピレン系熱可塑性エラストマーの混合物を、テーバー摩耗量が１０ｍｇ以上となるように構成し、消去体を形成してもよい。
【００１０】
さらに、テーバー摩耗量が１０ｍｇ以上となるように調整するために、消去体の材料に対して、アルキルスルフォン酸フェニルエステル、シクロヘキサンジカルボン酸エステル、メタクリル酸エステル、アクリル酸エステル、アセチルクエン酸トリブチル、アジピン酸系ポリエステル、アセチルクエン酸トリブチル、セバシン酸ジエステル、ジエチレングリコールジベンゾエートを含むことによって、消去体がより摩耗しやすくなるため、紙面を傷めず且つ印刷文字等を掠れさせることなく、筆跡の消去が可能となる。なお、消去体は、感圧式タッチペン、導電性を付与することで静電容量パネルのスタイラスペンとしても適用可能である。
【００１１】
さらに、消去体は、ＪＩＳ  Ｋ６２０３に規定されたデュロメータＤ硬度が３０以上であることが望ましい。それによって、所定の硬さが確保でき、より安定した擦過動作が可能となる。
【００１２】
また、アミン類、フェノール類、イミダゾール類、リン類またはチオウレア類等の老化防止剤を添加してもよい。アミン類としては、フェニル−α−ナフチルアミン、２，２，４−トリメチル−１，２−ジヒドロキノリンポリマー、６−エトキシ−２，２，４−トリメチル−１，２−ジヒドロキノリン、ｐ，ｐ’−ジオクチルジフェニルアミン、ｐ，ｐ’−ジクミルジフェニルアミン、Ｎ，Ｎ'-ジ−２−ナフチル−ｐ−フェニレンジアミン、Ｎ，Ｎ'-ジフェニル−ｐ−フェニレンジアミン、Ｎ−フェニル−Ｎ’−イソプロピル−ｐ−フェニレンジアミン、Ｎ−フェニル−Ｎ’−１，３−ジメチルブチル−ｐ−フェニレンジアミン、Ｎ−（１，３−ジメチルブチル）−Ｎ’−フェニル−ｐ−フェニレンジアミンなどが挙げられる。フェノール類としては、２，６−ジ−ｔｅｒｔ−ブチル−４−メチルフェノール、２，６−ジ−ｔｅｒｔ−ブチル−４−メチルフェノール、スチレン化メチルフェノール、２，２’−メチレンビス（４−エチル−６−ｔｅｒｔ−ブチルフェノール）、２，２’−メチレンビス（４−メチル−６−ｔｅｒｔ−ブチルフェノール）、４，４’−ブチリデンビス（３−メチル−６−ｔｅｒｔ−ブチルフェノール）、４，４’−チオビス（３−メチル−６−ｔｅｒｔ−ブチルフェノール）、２，５−ジ−ｔｅｒｔ−ブチルハイドロキノン、２，５−ジ−ｔｅｒｔ−アミルハイドロキノンなどが挙げられる。イミダゾール類としては、２−メルカプトベンズイミダゾール、２−メルカプトベンズイミダゾールの亜鉛塩、ジブチルジチオカルバミン酸ニッケルなどが挙げられる。その他、トリス（ノニル化フェニル）フォスファイトなどのリン類、１，３−ビス（ジメチルアミノプロピル）−２−チオウレア、トリブチルチオウレアなどのチオウレア類、オゾン劣化防止用ワックスなどを用いても良い。上記の老化防止剤は１種類を単独で用いても、２種類以上を組み合わせても用いても良い。なかでも、Ｎ−（１，３−ジメチルブチル）−Ｎ’−フェニル−ｐ−フェニレンジアミンを用いることが好ましい。
【００１３】
老化防止剤の含有量は、ポリマー成分１００質量部に対して、０．１質量部以上５質量部以下であることが好ましい。老化防止剤の含有量が０．１質量部未満であると、老化防止効果を得ることができない。一方、老化防止剤の含有量が５質量部を超えると、ポリマー組成物にブルーミング現象が発生する。老化防止剤の含有量は、さらに０．３質量部以上４質量部以下が好ましい。
【００１４】
また、消去部は着脱可能であると共に、取付力が２Ｎ以上５Ｎ未満であることが好ましい、取付力が２Ｎ以上であることで、消去部を下向きにしても脱落すること無く、５Ｎ未満とすることで消去体が摩耗しても消去部を介して容易に交換することができる。
【発明の効果】
【００１５】
本発明の消去具によれば、消去部は、把持部としての軸筒と、筆跡を消去可能な消去体と、消去体を保持する保持体からなり、保持体は視認性を有する材料で形成され、当該消去具を持って消去する際に、消去部が複数の平面を有することで消去具を持ち替えずに消去描線を消し分けることが容易という優れた効果を奏し得た使い勝手の良い消去具を提供することができる。
【図面の簡単な説明】
【００１６】
【図１】本発明の第１実施形態に係る消去具の説明図であり、（ａ）が正面図、（ｂ）が（ａ）から９０°回転させた正面図である。
【図２】図１の消去具における消去部の拡大図であり、（ａ）が先方からの視図、（ｂ）が先端部の斜視図である。
【図３】図１の消去具の消去部における化粧料吸蔵体の部品図であり、（ａ）が斜視図、（ｂ）が先方から視図、（ｃ）が上方からの視図、（ｄ）が側方からの正面図、（ｅ）が（ｃ）のＥ−Ｅ線に沿う断面図、（ｆ）が下方からの視図、（ｇ）が後方からの視図、（ｈ）が先端の拡大した斜視図である。
【図４】図１の消去具の消去部における化粧料吸蔵体の各部の説明図であり、（ａ）が先方からの視図、（ｂ）が側方からの拡大図、（ｃ）が平面部側付近を拡大した斜視図、（ｄ）が平面部側からの正面図である。
【図５】第１実施形態に係る消去具の支持部材（保持体）の部品図であり、（ａ）が先方からの見た図、（ｂ）が先方からの斜視図、（ｃ）が正面図、（ｄ）が平面図、（ｅ）が裏面図、（ｆ）が（ｄ）のＦ−Ｆ線に沿う縦断面図、（ｇ）が後方から見た図、（ｈ）が後方からの斜視図である。
【図６】本発明の第２実施形態に係る消去具の説明図である。
【図７】図６の消去具の消去部における消去性インク吸蔵体の部品図であり、（ａ）が斜視図、（ｂ）が先方から視図、（ｃ）が上方からの視図、（ｄ）が側方からの正面図、（ｅ）が（ｃ）のＥ−Ｅ線に沿う断面図、（ｆ）が下方からの視図、（ｇ）が後方からの視図、（ｈ）が先端の拡大した斜視図である。
【発明を実施するための形態】
【００１７】
以下、図面を参照して本発明の実施形態を説明する。なお、いずれの実施形態においても軸筒の先端には、消去部を保護するためのキャップ（図示省略）が着脱可能に装着される。
【００１８】
〔第１実施形態の消去具〕
図１〜図５は、本発明の第１実施形態に係る消去具の説明図である。
図１は、本発明の第１実施形態に係る消去具の全体図である。なお、図１（ｂ）の符号ＬＤは軸筒１０の長手方向（軸方向）を示し、消去具は、軸筒１０の先端に消去部１４を接続する構成となっている。
【００１９】
図２（ａ）−（ｂ）は、消去具の先端の消去部１４周辺を拡大して示している。また、図３（ａ）−（ｈ）、図４（ａ）−（ｄ）は消去体１６を示している。図５（ａ）−（ｈ）は消去体１６を装着する支持部材（「保持体」に相当）１８の部品図である。
【００２０】
第１実施形態の消去部１４は、図２（ａ）−（ｂ）に示すように、支持部材１８の外周に消去体１６を配設して当該支持部材１８が消去体１６を保持する構造のものである。前記消去体１６を支持部材１８で保持した状態の消去部１４は、軸筒１０の先端部に筒状の先軸２０によって着脱可能に装着されている。消去部１４は、取付力が先軸２０に対して２Ｎ以上５Ｎ未満であることで、消去部を下向きにしても脱落すること無く、かつ消去体１６が摩耗しても容易に交換することができる。また、支持部材１８によって消去部１４を消去体１６に触れずに掴んで交換することができる。
【００２１】
装着状態において、前記消去部１４は、当該先軸２０の先端部から消去体１６及び支持部材１８の半分程度を突出して露出させた状態に配設されている。前記先軸２０は筒状であって内部に消去性インク吸蔵体１２の先部を内装して前記軸筒１０に先端部に装着されている。なお、先軸２０の先端開口と消去部１４との間は、支持部材１８の後述するフランジ部１８ｂ（空気流通溝１８ｈ、１８ｊが露出状態になる）によって塞がれ、本体部１８ａが先軸２０先端開口に嵌合して消去部１４が抜け止めされている。支持部材１８の本体部１８ａの周囲に消去体１６が設置された部分（可視部１８ｃ）が透明又は半透明になっており、消去対象部が視認可能になっている。
【００２２】
前記消去体１６は、図１（ｃ）、図２（ｂ）に示すように、概略矩形の支持部材１８を取り囲むように、概略Ｕ字形状を呈している。また、図３（ａ）に示すように、前記消去体１６は、断面略円形の帯状体を曲げた形状であり、消去側頂部の表面には、平面部１６ｂと角部１６ａと曲面部１６ｃを有する。そして、前記消去体１６は、先端側が２箇所ほぼ９０°曲がりの角部１６ａ及び曲面部１６ｃになっている。また、その角部１６ａには、切り落とされた平面部１６ｂが４箇所形成されている。平面部１６ｂの周辺と接合部はＲ０．２ｍｍ程度の面取りされている。また、前記消去体１６は、径方向に曲がった曲面部１６ｃが形成されている。また、前記消去体１６の先端（角部１６ａから１６ｃの間の領域）の横断面が異形であり、中央部から後部にかけて横断面が円形である。
【００２３】
詳しくは、図４（ａ）、図４（ｃ）に示すように、前記の消去体１６には、平面部１６ｂが４面形成されている。４面の平面部１６ｂが角部１６ａに集まっている構造のため、曲面部１６ｃから平面部１６ｂにかけて、図４の（ａ）や（ｃ）に示すように、消去体１６の元の太さで消去又は消去できる幅Ｗ１が太幅の箇所、２箇所の平面部１６ｂで挟まれた幅Ｗ２の中幅の箇所、幅Ｗ３の細幅の箇所が形成されたものになる。幅Ｗ１は１〜３ミリメートル（ｍｍ）、幅Ｗ３は０．５〜１．５ミリメートル（ｍｍ）で幅Ｗ１：幅Ｗ３＝２：１とすることが好適である。
【００２４】
このように４面の平面部の形成により、前記消去体１６が平面部１６ｂと角部１６ａと曲面部１６ｃを有するので、前記消去体１６の太い部分から徐々に細くなるように角部１６ａ近辺で、平面部１６ｂの稜線（輪郭）に沿って段々にペン芯幅が細くなるように形成している。
【００２５】
具体的な消去体１６は、太さが１．０〜３．０ミリメートル（ｍｍ）であるのが好ましい。
【００２６】
前記第１実施形態に係る支持部材１８を図５（ａ）−（ｈ）の部品図を用いて詳細に説明する。
支持部材１８は、図１（ｂ）に示すように、上記消去体１６を周囲に固定して、軸筒１０の先軸２０先端開口部に固着されるものである。
【００２７】
図５（ａ）〜（ｈ）に示すように、支持部材１８は、概略膨出状の本体部１８ａと、該本体部１８ａの先方側に、環状に拡径したフランジ部１８ｂと、フランジ部１８ｂから概略板状先方に延びる構造の、透明であって消去方向を視認することができる可視部１８ｃとを有する。また、前記支持部材１８は、該本体部１８ａの後方側に、上記本体部１８ａに連設される保持片１８ｄを有する後方保持部１８ｅを備えたものである。また、これらの各部から構成される支持部材１８の長手方向外周面全体には、上記コ字型状の消去体１６を嵌入保持する保持溝１８ｆが形成されている。
【００２８】
また、本体部１８ａの幅方向外周面には、先軸２０の内周に嵌合するための凹状又は凸状の嵌合部１８ｇが形成され、また、長手方向外周面には、フランジ部１８ｂから保持片１８ｄに渡った外周面に断面凹状の空気置換のための空気流通溝１８ｈ、１８ｊが形成されている。空気流通溝１８ｈ、１８ｊを介して軸筒１０内の外気と空気流通を行う構造になっている。その構造によって、消去部１４の消去使用時に消去性インク吸蔵体１２に貯留の消去性インクの空気置換が出来るようになっている。
【００２９】
実施形態に係る支持部材１８は、消去方向を視認できる透明な樹脂又はガラス等の部材、具体的には、平行光線透過率３０％以上、好ましくは、平行光線透過率５０％以上、更に好ましくは平行光線透過率７０％以上の透明な樹脂又はガラス等の部材であり、前方に幅広の平滑面となる可視部１８ｃと後方に本体部１８ａが形成されている。この平行光線透過率３０％未満の樹脂又はガラス等の部材であると、消去方向を鮮明に視認することができず、好ましくない。この物性を満足する樹脂等としては、例えば、スチレン−イソプレン樹脂、アイオノマー樹脂、ＳＢＲ−ＰＰのブレンド樹脂、アクリル樹脂、ナイロン樹脂、ポリメチルペンテン、ＰＣ（ポリカーボネート）、透明ＡＢＳ樹脂などが挙げられる。
【００３０】
支持部材１８と消去体１６は、嵌着、又は接着剤による接着、又は溶着などにより支持部材１８の外周に被覆されている。なお、支持部材１８の外周面に消去体１６の被覆を更に確実にするため嵌合溝等を施しても良いものである。または、二色成形等の多色成形により一体成形で形成してもよい。
【００３１】
図１（ｂ）に示すように、消去部１４の先端（消去体１６の先端）は、軸筒１０（本体軸）の長軸方向ＬＤに対して、４０〜９０°の角度で傾いていることが望ましく、本実施形態では、７５°の傾きとなっている。これらの形状は、消去等の使い勝手に合わせて適宜設定される。
【００３２】
また、消去部１４は、描線幅が太いものであり、好ましくは、描線幅１ｍｍ以上、更に好ましくは、描線幅３ｍｍ以上の描線幅となる消去部である。
【００３３】
上記消去体１６は、上記支持部材１８の先部が先軸２０から露出するように形成されている。
【００３４】
更に、支持部材１８において、上記可視部１８ｃを、外方に向けて凸曲面に形成すればレンズ効果を有するため、透視される視野を拡大して見ることが可能となる。
【００３５】
この第１実施形態の消去部１４を有する消去具において、消去部１４には細消し及び太消しタイプの消去具の太字用の消去部に好適に適用できることはいうまでもない。
【００３６】
この第１実施形態の消去部１４を有する消去具は、描線幅の太い消去部１４を有する消去具について右手を用いて左から右に消去する場合、支持部材１８に透明な樹脂又はガラス等の部材からなる可視部１８ｃを設けたので、消去部１４の軸筒１０の長手方向ＬＤの直上に位置する可視部１８ｃにより消去先の右側が見やすくなって対象部の位置が容易に特定可能となる。
【００３７】
これにより、上記消去具で対象面を塗りつぶす時や、比較的狭い場所での使用に際して顕著な使い勝手を向上することができるものとなる。
【００３８】
〔第２実施形態の消去具〕
次に、本発明の第２実施形態に係る消去具を説明する。
【００３９】
本発明の第２実施形態に係る消去具は、図６〜図７に示す構造を有し、前記図１〜図３で示した第１実施形態の消去具とは、消去部１４の消去体（「消去体」に相当、ペン芯とも称する）の形態が大きく異なるものである。その他は、第１実施形態に係る消去具と同様であり、同様部分に同一の符号を付している。
【００４０】
第２実施形態に係る消去具は、消去体１６が第１実施形態などに比べて、曲面部１６ｃの曲率がより大きくなっているものである。
図７に示す消去体１６は、図３の曲面部１６ｃに比較して大きな弧を描いている。また、前記消去体１６の先端（角部１６ａから１６ｃの間の領域）の横断面が異形であり、中央部から後部にかけて横断面が円形である。
したがって、消去に際して曲線部１６ｃの消去幅と角部１６ａの消去幅との差が強調され、メリハリのある消去が可能となる。その他の作用・効果は第１実施形態と同じである。
【００４１】
前記実施形態においては、様々な消去体１６の形状構造を例示したがそれは一例であり、他の種々の形状や構造を取り得ることはもちろんである。第２実施形態では、横断面五角形の支持部材であったが、横断面６角以外の多角形横断面形状とすることができる。また、長さ方向において横断面形状の異なる支持部材の構造であってもよい。
また、前記第２実施形態の消去具では、支持部材１８に取り巻くように支持され消去体１６は線状でありその横断面がほぼ円形であるが、横断面をほぼ多角形状としてもよい。
【００４２】
〔消去性インクの説明〕
次に，実施形態に係る消去具が消去可能な消去性インクについて説明する。
消去性インクは、熱変色性インクや消しゴム消去性インクが挙げられる。熱変色性インクとは、（イ）電子供与性呈色性有機化合物、（ロ）電子受容性化合物、（ハ）前記両者の呈色反応の生起温度を決める反応媒体からなる可逆熱変色性組成物を内包させた可逆熱変色性マイクロカプセル顔料と、前記可逆熱変色性マイクロカプセル顔料とは比重の異なるマイクロカプセル粒子と、水と高分子凝集剤を含むビヒクルとからなり、前記マイクロカプセル粒子に内包される成分が可逆熱変色性マイクロカプセル顔料に内包される（ロ）電子受容性化合物及び（ハ）前記両者の呈色反応の生起温度を決める反応媒体であることを特徴とする。
【００４３】
熱変色性インクは、常温（例えば２５℃）で所定の色彩（第１色）を維持し、高温変色温度まで昇温させると別の色彩（第２色）へと変化し、その後、低温復色温度まで冷却させると、再び元の色彩（第１色）へと復帰する性質を有するインクを言う。一般的には第２色を無色とし、第１色（例えば赤）で消去した描線を昇温させて無色とする構成でもよい。従って、描線が消去された紙面等に対して摩擦体である軸筒１０又はキャップ（図示せず）によって擦過して摩擦熱を生じさせ、それによって描線を無色に変化させる。なお、当然のことながら第２色は、無色以外の有色でもよい。高温変色温度を６０〜８０℃、且つ低温復色温度を−２０〜０℃の範囲とし、高温変色温度と低温復色温度との差を６０〜１００℃に特定することにより、常態（日常の生活温度域）で呈する色彩の保持に有効に機能させることができる。また、軸筒１０やキャップを粘弾性材料、例えばオレフィン系エラストマーで形成することで摩擦体として容易に機能させることができるため、使い勝手の良い消去具を提供できる。
【００４４】
本発明で述べる消しゴム消去性インクとは、平均粒子径２〜２０μｍであり、かつ、非熱可塑性である着色樹脂粒子をインク組成物全量に対して５〜３０重量％と、ガラス転移点が０℃未満である非着色粒子とを少なくとも含有することを特徴とするものである。なお、本発明で規定する「平均粒子径」は、粒度分析計〔マイクロトラックＨＲＡ９３２０−Ｘ１００（日機装社製）〕にて測定したＤ５０の値である。
【００４５】
具体的に説明すると着色樹脂粒子は、着色された樹脂粒子からなるものであり、非熱可塑性であり、かつ、平均粒子径が２〜２０μｍとなる着色樹脂微粒子であることが必要である。本発明に用いる着色樹脂粒子としては、例えば、樹脂粒子中に顔料からなる着色剤が分散された着色樹脂粒子、樹脂粒子の表面が顔料からなる着色剤で被覆された着色樹脂粒子、樹脂粒子に染料からなる着色剤が染着された着色樹脂粒子などが挙げられる。本発明では、着色樹脂粒子が非熱可塑性で上記平均粒子径を充足するものであれば、その構造〔中空構造あり、中空構造なし（密実）〕、形状（球状、多角形状、扁平状、繊維状）等は特に限定されるものでないが、好ましくは、優れた消去性、筆記性、インクとしての経時安定性を発揮せしめる点から、ガラス転移点が１５０℃以上で熱分解温度に近く、更にはメルトフローインデックス値が０．１未満であるような分子内架橋を持つ粒子で粘着性を有せず、かつ、平均粒子径が３〜１５μｍとなる球状の着色樹脂微粒子の使用が好適である。着色樹脂粒子が熱可塑性で粘着性を有する場合は、粒子同士の凝集が起こりやすくなり、インクの安定性が損なわれたり、キャップを外した状態で放置した場合にカスレが生じやすくなるなど、好ましくない。また、着色樹脂粒子の平均粒子径が２μｍ未満であると、紙繊維の空隙に入り込みやすくなり消去性が低下してしまうこととなり、好ましくない。また、着色樹脂粒子の平均粒子径が２０μｍを越えるものであると、消去性は向上することとなるが、インクとしての濃度が薄くなること、着色樹脂粒子が沈殿しやすくなり、経時的安定性が損なわれること、筆記時の感触が悪くなることなどの不具合が生じることとなり、好ましくない。この着色樹脂粒子の平均粒子径を２〜２０μｍとし、かつ、非熱可塑性のものを用いることにより、初めて、紙の繊維の深部まで入り込むことなく、紙表面付近に留まり、消去具によって容易に除去することができることとなる。
【産業上の利用可能性】
【００４６】
本発明の消去具は、消去性インクを消去するものに利用することができる。
【符号の説明】
【００４７】
１０  軸筒
１０ａ  リブ
１４  消去部
１６  消去体
１８  支持部材
２０  先軸
【図１】
2018052091.tif 000003
【図２】
2018052091.tif 000004
【図３】
2018052091.tif 000005
【図４】
2018052091.tif 000006
【図５】
2018052091.tif 000007
【図６】
2018052091.tif 000008
【図７】
2018052091.tif 000009